(57)【要約】【課題】使用者に対して外界への視界を確保しながら画像を表示するシースルー型の構成において、外界視野を十分に確保しながら、表示画像の画角を十分に広くする。【解決手段】表示ユニット３は、ＬＣＤ４１を収容する本体部、および鏡筒４２を収容する鏡筒部を含む外装ケース３０と、鏡筒部の端部に支持された状態で使用者の眼前に位置するように設けられ、画像光を反射させ使用者の眼Ｙ１に入射させるとともに外光を透過させるハーフミラー６とを有し、鏡筒４２内の光学系は、画像光をハーフミラー６に直接的に入射させる接眼レンズ４５を含み、外装ケース３０は、本体部が使用者の頭部の運動を伴うことで無理なく対象を注視できる安定注視野領域Ａ２の外側に位置し、かつ、鏡筒部の上下方向の最大寸法が本体部の上下方向の最大寸法よりも小さくなるように構成され、接眼レンズ４５は、ハーフミラー６に極力近付いた位置に設けられている。【選択図】図５
2013210587.tif 000002
【特許請求の範囲】
【請求項１】
画像を表示するための画像光を出射する画像表示部を有する表示ユニットと、
前記表示ユニットを支持し使用者の頭部に装着される支持フレームと、を備え、
前記表示ユニットは、
前記画像表示部を収容する本体部、および前記画像表示部から出射される画像光が入射する光学系を内装する鏡筒を収容する鏡筒部を含む外装ケースと、
前記鏡筒部の端部に支持された状態で使用者の眼前に位置するように設けられ、前記光学系から出射する画像光を反射させ使用者の眼に入射させるとともに外光を透過させるビームスプリッタと、を有し、
前記光学系は、前記画像表示部から受けた画像光を前記ビームスプリッタに直接的に入射させる接眼レンズを含み、
前記外装ケースは、前記本体部が使用者の頭部の運動を伴うことで無理なく対象を注視できる安定注視野領域の外側に位置し、かつ、前記鏡筒部の上下方向の最大寸法が前記本体部の上下方向の最大寸法よりも小さくなるように構成され、
前記接眼レンズは、前記鏡筒において、前記ビームスプリッタに近接する端部位置近傍に設けられている、
ヘッドマウントディスプレイ。
【請求項２】
前記ビームスプリッタは、
光を透過させる第１の領域と、
前記第１の領域に含まれ、外光を透過させることが可能であり、かつ、前記光学系から出射する画像光を反射させて画像を表示することが可能な第２の領域と、
前記第２の領域に含まれ、前記光学系から出射する画像光による画像が表示される第３の領域と、を有し、
前記第３の領域は、上下方向に直交する方向について、前記第１の領域の中心に対して、使用者の顔の中央側に片寄った位置にある、
請求項１に記載のヘッドマウントディスプレイ。
【請求項３】
前記第２の領域は、上下方向に直交する方向について、前記第１の領域の中心に対して、使用者の顔の中央側に片寄った位置にある、
請求項２に記載のヘッドマウントディスプレイ。
【請求項４】
前記ビームスプリッタは、上下方向に直交する方向の寸法が上下方向の寸法よりも長い形状を有する、
請求項１〜３のいずれか１項に記載のヘッドマウントディスプレイ。
【請求項５】
前記ビームスプリッタは、前記鏡筒部に対して、上下方向を支軸方向として支持され、
前記ビームスプリッタの支持位置は、前記ビームスプリッタの上下方向に直交する方向について、中央もしくは中央より使用者の顔の外側に位置する、
請求項１〜４のいずれか１項に記載のヘッドマウントディスプレイ。
【請求項６】
前記鏡筒部は、前記ビームスプリッタを支持する部分として、平面視で、使用者の手前側に位置する第１の斜辺部と、使用者の奥側に位置し前記第１の斜辺部よりも短い第２の斜辺部とを含み、使用者の顔の中央側に突出する角部を形成する部分を有し、
前記ビームスプリッタは、前記角部の頂点部に前記支持位置を位置させた状態で支持される、
請求項５に記載のヘッドマウントディスプレイ。
【請求項７】
前記ビームスプリッタは、前記支持位置を中心として、少なくとも前記ビームスプリッタの反射面が前記光学系の光軸に対して垂直な面と略平行となる位置まで、前記支持位置よりも使用者の顔の中央側の部分が使用者の手前側に移動する方向に回動することで収納される、
請求項５または請求項６に記載のヘッドマウントディスプレイ。
【発明の詳細な説明】
【技術分野】
【０００１】
本発明は、使用者に対して外界への視界を確保しながら画像を表示する、いわゆるシースルー型のヘッドマウントディスプレイに関する。
【背景技術】
【０００２】
従来、画像表示装置として、使用者の頭部に装着された状態で用いられるヘッドマウントディスプレイ（以下適宜「ＨＭＤ」と表記する。）が知られている。ＨＭＤは、一般的に、使用者に視認させる画像を表示する表示ユニットと、この表示ユニットを支持し使用者の頭部に装着される支持フレームとを備える。
【０００３】
このようなＨＭＤには、使用者に対して外界への視界を確保しながら画像を表示する、いわゆるシースルー型のものがある。シースルー型のＨＭＤにおいては、例えば、使用者の眼前に位置するように設けられるビームスプリッタとしてのハーフミラーを備える構成が用いられている。具体的には、表示ユニットが有する画像表示部により表示される画像がハーフミラーによって使用者の眼に向けて反射されることで使用者に画像が視認され、これとともに外光がハーフミラーを透過して使用者の眼に入射することで外界への視界も確保されている。
【０００４】
このようなＨＭＤでは、画像表示部から出射される画像光を所定の大きさ（画角）の画像光として使用者に視認させるために、画像光の光路におけるハーフミラーの手前側に、接眼レンズを含む光学系を備える構成が一般的である（例えば、特許文献１参照。）。特許文献１にも記載されているように、このようなＨＭＤにおいては、画像表示部と鏡筒とが、一体的な筐体として構成される外装ケース内に収容されている。
【０００５】
ＨＭＤの外装ケース内には、画像表示部および鏡筒のほか、画像表示部を制御するための制御部等も収容される。例えば、画像表示部が液晶を用いた画像表示を行う構成である場合、外装ケース内には、画像表示部を構成する液晶パネルや駆動回路、その他バックライト等が収容される。このため、外装ケースは、ハーフミラーの大きさに対し、かなり大きな外観となることが一般的である。
【先行技術文献】
【特許文献】
【０００６】
【特許文献１】特開２０１１−１８０４１５号公報
【発明の概要】
【発明が解決しようとする課題】
【０００７】
しかしながら、上述したようなシースルー型のＨＭＤにおいては、使用者は画像表示部により表示される画像と外光により視認される外界との両方を見るため、使用者の視界に大きな外装ケースが存在すると、使用者は外界に対する視野が狭く感じる。この外界に対する視野を広げるために、外装ケース内の鏡筒をハーフミラーから例えば左右方向の外側に遠ざけた位置に支持することも可能であるが、そうすると、接眼レンズから眼までの距離（アイレリーフ）が長くなり、使用者に視認させる画像の画角を大きくできなくなってしまう。
【０００８】
このように、シースルー型のＨＭＤにおいては、外装ケースが画像表示部およびこれを制御する制御部等を収容する本体部と鏡筒を収容する鏡筒部とを有する構成に関し、外界視野の広さと表示画像の画角の大きさとの両立を図ることは難しく、そのための有効な技術は、これまで提案されていないのが現状であった。
【０００９】
以上のような事情に鑑み、本発明は、使用者に対して外界への視界を確保しながら画像を表示するシースルー型の構成において、外界視野を十分に確保しながら、表示画像の画角を十分に広くすることができるヘッドマウントディスプレイを提供することを目的とする。
【課題を解決するための手段】
【００１０】
上記目的を達成するために、本発明に係るヘッドマウントディスプレイは、画像を表示するための画像光を出射する画像表示部を有する表示ユニットと、前記表示ユニットを支持し使用者の頭部に装着される支持フレームと、を備え、前記表示ユニットは、前記画像表示部を収容する本体部、および前記画像表示部から出射される画像光が入射する光学系を内装する鏡筒を収容する鏡筒部を含む外装ケースと、前記鏡筒部の端部に支持された状態で使用者の眼前に位置するように設けられ、前記光学系から出射する画像光を反射させ使用者の眼に入射させるとともに外光を透過するビームスプリッタと、を有し、前記光学系は、出射した画像光が前記ビームスプリッタに直接入射する接眼レンズを含み、前記外装ケースは、前記本体部が使用者の頭部の運動を伴うことで無理なく対象を注視できる安定注視野領域の外側に位置し、かつ、前記鏡筒部の上下方向の最大寸法が前記本体部の前記最大寸法よりも小さくなるように構成され、前記接眼レンズは、前記鏡筒において、前記ビームスプリッタに近接する端部位置近傍に設けられている。
【００１１】
また、前記ヘッドマウントディスプレイにおいて、前記ビームスプリッタは、光を透過させる第１の領域と、前記第１の領域に含まれ、外光を透過させることが可能であり、かつ、前記光学系から出射する画像光による画像の表示が可能な第２の領域と、前記第２の領域に含まれ、前記光学系から出射する画像光による画像が表示される第３の領域と、を有し、前記第３の領域は、上下方向に直交する方向について、前記第１の領域の中心に対して、使用者の顔の中央側に片寄った位置にあってもよい。
【００１２】
また、前記ヘッドマウントディスプレイにおいて、前記第２の領域は、上下方向に直交する方向について、前記第１の領域の中心に対して、使用者の顔の中央側に片寄った位置にあってもよい。
【００１３】
また、前記ヘッドマウントディスプレイにおいて、前記ビームスプリッタは、上下方向に直交する方向の寸法が上下方向の寸法よりも長い形状を有していてもよい。
【００１４】
また、前記ヘッドマウントディスプレイにおいて、前記ビームスプリッタは、前記鏡筒部に対して、上下方向を支軸方向として支持され、前記ビームスプリッタの支持位置は、前記ビームスプリッタの上下方向に直交する方向について、中央部もしくは中央部より使用者の顔の外側に位置してもよい。
【００１５】
また、前記ヘッドマウントディスプレイにおいて、前記鏡筒部は、前記ビームスプリッタを支持する部分として、平面視で、使用者の手前側に位置する第１の斜辺部と、使用者の奥側に位置し前記第１の斜辺部よりも短い第２の斜辺部とからなり、使用者の顔の中央側に突出する角部を形成する部分を有し、前記ビームスプリッタは、前記角部の頂点部に前記支持位置を位置させた状態で支持されてもよい。
【００１６】
また、前記ヘッドマウントディスプレイにおいて、前記ビームスプリッタは、前記支持位置を中心として、少なくとも前記ビームスプリッタの反射面が前記光学系の光軸に対して垂直な面と平行となる位置まで、前記支持位置よりも使用者の顔の中央側の部分が使用者の手前側に移動する方向に回動することで収納されてもよい。
【発明の効果】
【００１７】
本発明によれば、使用者に対して外界への視界を確保しながら画像を表示するシースルー型の構成において、外界視野を十分に確保しながら、表示画像の画角を十分に広くすることができる。
【図面の簡単な説明】
【００１８】
【図１】本発明の一実施形態に係るＨＭＤの全体的な構成を示す平面図。
【図２】本発明の一実施形態に係るＨＭＤの全体的な構成を示す正面図。
【図３】本発明の一実施形態に係る表示ユニットの構成を示す背面斜視図。
【図４】本発明の一実施形態に係る表示ユニットの構成を示す平面図。
【図５】本発明の一実施形態に係る表示ユニットの内部構成を示す図。
【図６】本発明の一実施形態に係る表示ユニットの内部構成を示す図。
【図７】本発明の一実施形態に係るＨＭＤにおける視野領域についての説明図。
【図８】本発明の一実施形態に係るＨＭＤにおける視野領域についての説明図。
【図９】本発明の一実施形態に係るＨＭＤにおける視野領域についての説明図。
【図１０】本発明の一実施形態に係る表示ユニットの構成を示す背面模式図。
【図１１】本発明の一実施形態に係るハーフミラーの構成を示す図。
【図１２】本発明の一実施形態に係るＨＭＤにおけるハーフミラーの収納時を示す背面斜視図。
【発明を実施するための形態】
【００１９】
本発明は、シースルー型のＨＭＤにおいて、支持フレームに支持される表示ユニットの外装ケースが有する本体部と鏡筒部との相対的な寸法関係や、鏡筒部内に設けられる接眼レンズと使用者の眼前に位置するビームスプリッタとしてのハーフミラーとの配置関係に着目し、外界視野の広さと表示画像の画角の大きさとの両立を図ろうとするものである。以下、本発明の実施の形態を説明する。
【００２０】
［ＨＭＤの構成］
本実施形態に係るＨＭＤの構成について、図１および図２を用いて説明する。本実施形態に係るＨＭＤ１は、ＨＭＤ１の使用者（以下単に「使用者」という。）の一方または両方の眼に対して、画像信号に基づく画像を、液晶ディスプレイ（ＬＣＤ：Ｌｉｑｕｉｄ  Ｃｒｙｓｔａｌ  Ｄｉｓｐｌａｙ）により表示することにより、使用者に映像や文字等の画像を視認させる。図１および図２に示す例では、使用者の左側の眼Ｙ１に対して画像を表示する構成が示されている。
【００２１】
図１および図２に示すように、ＨＭＤ１は、コントロールユニット２と、表示ユニット３と、表示ユニット３を支持するフレーム４とを備える。なお、図２においては、コントロールユニット２の図示を省略している。
【００２２】
コントロールユニット２は、ＨＭＤ１の動作を制御する制御部と、表示ユニット３に電力を供給するための電源部とを有する。コントロールユニット２の制御部は、画像信号を、外部から受信するか、または内部で生成し、出力する。コントロールユニット２により出力された画像信号、および電源部からの電力は、ケーブル５によって表示ユニット３に送られる。
【００２３】
表示ユニット３は、画像を表示するための画像光を出射する画像表示部としてのＬＣＤを有する。表示ユニット３は、表示ユニット３の動作を制御する表示制御部によって、コントロールユニット２から送られてきた画像信号と電力を受け、ＬＣＤを制御して、画像信号に応じた画像をＬＣＤから表示させる。ＬＣＤは、ＬＥＤ（Ｌｉｇｈｔ  Ｅｍｉｔｔｉｎｇ  Ｄｉｏｄｅ）バックライト等として構成される光源からの光を用いて液晶表示を行う。また、表示ユニット３は、ＬＣＤから出射される画像光の入射を受ける光学系を内装する鏡筒を有する。表示ユニット３が有するＬＣＤや鏡筒等は、表示ユニット３が有する筐体としての外装ケース３０に収納される。
【００２４】
表示ユニット３は、使用者に画像を視認させるためのビームスプリッタとしてのハーフミラー６を有する。ハーフミラー６は、表示ユニット３の外装ケース３０の一端側に設けられるミラーホルダ部３３に回動可能に支持された状態で、使用者の左側の眼Ｙ１の前方に位置するように設けられる。表示ユニット３は、ハーフミラー６により、ＬＣＤによって表示した画像を使用者に視認させるとともに、外光の一部を透過させて使用者の眼に入射させる。
【００２５】
このように、本実施形態のＨＭＤ１は、外光を透過させることで使用者に対して外界への視界を確保するとともに、表示ユニット３により表示する画像を使用者に対して表示するシースルー型の画像表示装置である。ただし、本実施形態のＨＭＤ１は、ＬＣＤを用いて画像を表示する構成であるが、ＨＭＤとしては、例えば、画像信号に応じた強度のレーザ光を２次元方向に走査して、その走査したレーザ光を瞳孔から入射させて網膜上に投影することにより使用者に画像を視認させる、いわゆる網膜走査型の画像表示装置であってもよい。以下の説明では、表示ユニット３についての上下・前後・左右方向を、フレーム４を装着した状態の使用者の上下・前後・左右方向に対応させる。
【００２６】
フレーム４は、表示ユニット３を支持し使用者の頭部に装着される支持フレームである。フレーム４は、眼鏡型のフレームであり、表示ユニット３を支持するとともに、使用者の頭部に装着される装着部を構成する。フレーム４は、使用者の頭部に装着された状態で、上述したような表示ユニット３による使用者への画像の表示ができるように、表示ユニット３を支持する。
【００２７】
本実施形態では、フレーム４は、使用者の頭部に装着された状態で、使用者の頭部の左前側に、表示ユニット３を支持する。これにより、ＨＭＤ１は、使用者の左側の眼Ｙ１に対して画像を表示することにより、使用者に画像を視認させる。
【００２８】
フレーム４は、上記のとおり眼鏡型であり、使用者の顔の前に位置するフロント部１１と、フロント部１１の左右両端部から後方に延びるヨロイ部１２と、各ヨロイ部１２に回動可能に連結されるテンプル部１３とを有する。そして、本実施形態のフレーム４においては、左側（図２において右側）のヨロイ部１２の近傍に、表示ユニット３が取り付けられて支持される。
【００２９】
ヨロイ部１２は、フロント部１１の左右両端側においてテンプル部１３が延びる方向に沿って突出する部分である。各ヨロイ部１２の後端部に、テンプル部１３が回動可能に取り付けられる。一対のテンプル部１３は、使用者の顔を左右両側から挟む。テンプル部１３は、使用者の耳にかかるセル部１３ａを有する。
【００３０】
ヨロイ部１２とテンプル部１３とは、ヨロイ部１２の後端部に設けられるヒンジ部１４にて、ネジ等が用いられて連結される。テンプル部１３は、ヒンジ部１４において、フロント部１１及びヨロイ部１２を含む構成に対して折りたたむことができるように、上下方向を回動軸方向として回動可能に連結される。
【００３１】
また、フレーム４においては、フロント部１１の下側に、使用者の眼を保護するためのカバーシート１６が装着される。カバーシート１６は、左右の眼に対応して設けられる２枚の透過性を有するシート部材１７と、これらのシート部材１７をフレーム４に対して保持する保持体１８とを有する。
【００３２】
保持体１８は、シート部材１７を保持する一対の保持部１８ａと、これら保持部１８ａを連結する連結部１８ｂとを有する。連結部１８ｂは、左右両側においてシート部材１７を保持する一対の保持部１８ａを、左右中央部において連結する部分である。連結部１８ｂには、一対のパッド１９ａを有する鼻当て部１９が設けられている。また、保持体１８には、カバーシート１６のフロント部１１に対する固定部分として、左右方向の両端側の左右固定部１６ａと、左右方向の中央部の中央固定部１６ｂとが設けられている。
【００３３】
フレーム４は、その左前部分に、表示ユニット３を支持するユニット支持部２０を有する。ユニット支持部２０は、フロント部１１上に固定される支持基部２１と、支持基部２１に設けられる垂下部２２とを有する。
【００３４】
支持基部２１は、略板状の外形を有する部分であり、フロント部１１に対して固定ネジ２３により固定され、フレーム４の左前部分において、左側に突出する庇状の部分を構成する。この支持基部２１の庇状に突出した部分の下側に、垂下部２２が設けられる。垂下部２２に、表示ユニット３の外装ケース３０が取り付けられ、表示ユニット３がユニット支持部２０によってフレーム４に支持される。
【００３５】
ユニット支持部２０は、垂下部２２において、表示ユニット３を上下方向に位置調整可能に支持する。このため、垂下部２２は、外装ケース３０を上下方向にスライドさせるスライド嵌合部を有する。そして、外装ケース３０は、その一部を垂下部２２のスライド嵌合部に嵌合させた状態で、垂下部２２に対して上下方向に移動可能に設けられる。このような構成により、表示ユニット３のフレーム４に対する上下方向の位置の調整が行われる。
【００３６】
以上のような構成を有するフレーム４は、一対のテンプル部１３によって使用者の両耳にかかるとともに、２個のパッド１９ａを有する鼻当て部１９によって使用者の鼻筋に支持されることで、使用者の頭部に装着された状態となる。そして、この眼鏡型のフレーム４に表示ユニット３が支持されることで、表示ユニット３が、使用者の頭部の左前側に配置される。
【００３７】
なお、本実施形態では、ＨＭＤ１は、使用者の左側の眼Ｙ１に画像を表示する左眼用の構成であるが、本発明に係るＨＭＤは、右眼用の構成であったり、両眼用の構成であったりしてもよい。使用者の右側の眼に画像を表示する構成は、図１および図２に示すような左眼用の構成が、表示ユニット３および表示ユニット３のフレーム４に対する支持構成（ユニット支持部２０）を含み、左右方向に対称に右側に構成されることで実現される。
【００３８】
［表示ユニットの詳細］
以下、ＨＭＤ１が備える表示ユニット３の構成について、詳細に説明する。表示ユニット３は、外装ケース３０と、ハーフミラー６とを有する。
【００３９】
外装ケース３０は、上述したように画像表示部としてのＬＣＤ、バックライト等の光源、各種回路を含む表示制御部等を内蔵するとともに、一端側を開口させるとともに、その開口端部の近傍に、ハーフミラー６を支持する。
【００４０】
図３および図４に示すように、外装ケース３０は、左右方向（図４における左右方向）を長手方向として外装ケース３０の大部分を構成する大形部３１と、大形部３１の左側の端部から後側に突出するように設けられて大形部３１と比べて小さい外形を有する小形部３２とを有する。外装ケース３０は、大形部３１および小形部３２により、平面視で全体として略Ｌ字状となる外形を有する（図４参照）。大形部３１における小形部３２が設けられる側と反対側（右側）が、外装ケース３０の開口端部となり、この開口端部に、ハーフミラー６を支持するミラーホルダ部３３が設けられる。
【００４１】
また、外装ケース３０においては、大形部３１と小形部３２とからなる略Ｌ字状の外形における角部分の内側に、支持嵌合部３４が設けられている。支持嵌合部３４は、上述したように表示ユニット３が支持されるユニット支持部２０の垂下部２２が有するスライド嵌合部に嵌合する部分である。支持嵌合部３４は、後側に開口する上下方向の溝を形成する部分である。外装ケース３０は、支持嵌合部３４を垂下部２２のスライド嵌合部に嵌合させた状態で、垂下部２２に対して上下方向に移動可能に設けられる。また、外装ケース３０においては、小形部３２の後端部に、コントロールユニット２から延出されて表示ユニット３に接続されるケーブル５の連結部５ａが、後方に向けて突出するように設けられている。
【００４２】
外装ケース３０は、上述したような大形部３１と小形部３２とは異なる態様で区分けされる部分として、本体部３５と、鏡筒部３６とを含む。本体部３５は、画像表示部としてのＬＣＤ等を収容する部分である。鏡筒部３６は、ＬＣＤから出射される画像光の入射を受ける光学系を内装する鏡筒を収容する部分である。
【００４３】
本体部３５は、鏡筒部３６よりも左右方向の外側に位置する。具体的には、本実施形態のように使用者の左側の眼Ｙ１を画像の表示対象とする構成の場合、外装ケース３０は、使用者の顔の左外側（以下「顔外側」という。）から使用者の顔の中央側（以下「顔中央側」という。）にかけて、本体部３５、鏡筒部３６を順に位置させるように延びる。そして、鏡筒部３６のさらに中央側に、ハーフミラー６が、使用者の眼前に位置するように設けられる。
【００４４】
本体部３５は、大形部３１における略左半分の部分と小形部３２とからなる部分である。鏡筒部３６は、大形部３１における本体部３５以外の部分、つまり大形部３１における略右半分の部分からなる部分である。このように本体部３５および鏡筒部３６を含む外装ケース３０においては、鏡筒部３６の先端部、つまり外装ケース３０の大形部３１の左側の端部に構成されるミラーホルダ部３３に、ハーフミラー６が支持された状態で設けられる。
【００４５】
ミラーホルダ部３３は、左右方向を長手方向とする直方体状の外形を有する鏡筒部３６において、互いに上下方向に対向する一対の支持突片部３７を有する。各支持突片部３７は、平面視において、２つの斜辺部により形成される角部分を右側に向けて突出させ、その角部分を頂点部分とする略三角形状をなす板状の部分である。ミラーホルダ部３３は、一対の支持突片部３７の頂点部分に位置して上下方向を支軸方向とする軸支部３８により、ハーフミラー６を回動可能に軸支する。
【００４６】
一対の支持突片部３７は、鏡筒部３６の上面３６ａおよび下面３６ｂについて、鏡筒部３６において直方体状の外形を有する部分と連続する平面を形成する。つまり、外装ケース３０における鏡筒部３６の部分の上面３６ａおよび下面３６ｂは、ミラーホルダ部３３の部分を含み、互いに略平行な面となる。
【００４７】
このように外装ケース３０においてミラーホルダ部３３に支持されるハーフミラー６は、全体として略矩形板状の部材であり、長手方向における中間部の所定の位置が、軸支部３８による支持位置となる。つまり、ハーフミラー６は、その板面を上下方向と略平行とする向きで支持される。
【００４８】
ハーフミラー６は、上述したようにミラーホルダ部３３によって鏡筒部３６の端部に支持された状態で使用者の眼前に位置するように設けられる。本実施形態では、ハーフミラー６は、外装ケース３０のミラーホルダ部３３により、フレーム４が使用者の頭部に装着された状態で、使用者の左側の眼Ｙ１の前に位置するように設けられる。そして、ＨＭＤ１の使用時には、ハーフミラー６は、鏡筒部内を経て左側から入射する画像光を反射させて使用者の眼Ｙ１に対して入射させるため、平面視で、使用者の前方への視線方向（前後方向）に対して略４５°傾いた状態で支持される。
【００４９】
続いて、表示ユニット３が外装ケース３０の内部に備える構成について説明する。図５および図６に示すように、表示ユニット３の外装ケース３０内においては、本体部３５に、画像表示部としてのＬＣＤ４１が収容され、鏡筒部３６に、鏡筒４２が収容される。
【００５０】
ＬＣＤ４１は、光源として例えばＬＥＤ等のバックライトからの光を受け、画像光を出射することで、画像表示（液晶表示）を行う。ＬＣＤ４１は、略矩形板状の外形を有し、その両側の板面を左右に向ける姿勢で設けられ、右側の板面を画像光の出射面とする。
【００５１】
すなわち、外装ケース３０内においては、ＬＣＤ４１に対して、画像光を出射する側と反対側（図５において左側）に、ＬＣＤ４１による画像表示を行うための光源として例えばＬＥＤ等のバックライトが配置される。そして、バックライトからの光を受けたＬＣＤ４１により、右側（図５において右側）に向けて画像光が照射される。したがって、ＬＣＤ４１から出射される画像光の光軸Ｌ１の方向は、左右方向に沿う。
【００５２】
鏡筒４２は、略筒状の部材であり、接眼レンズ４５を含む光学系を内装する。本実施形態では、図５および図６に示すように、鏡筒４２は、接眼レンズ４５のほか、凸レンズ４３および凹レンズ４４を有し、計３つのレンズを内装する。なお、本実施形態では接眼レンズ４５は凸レンズである。これら３つのレンズは、左右方向について互いに所定の間隔を隔てた状態で、鏡筒部３６内における光路の前段側（左側）から後段側（右側）にかけて、凸レンズ４３、凹レンズ４４、接眼レンズ４５の順に配置される。
【００５３】
鏡筒４２は、凸レンズ４３、凹レンズ４４、および接眼レンズ４５を、各レンズの光軸が互いに一致するように保持する。また、鏡筒４２は、凸レンズ４３、凹レンズ４４、および接眼レンズ４５が光軸方向（光軸Ｌ１の方向、以下同じ。）について互いに所定の間隔を隔てた位置関係となるように、これらのレンズを位置決めした状態で保持する。
【００５４】
そして、鏡筒４２は、外装ケース３０の鏡筒部３６内において、互いに一致する３つのレンズの光軸がＬＣＤ４１から出射される画像光の光軸Ｌ１と一致するように位置決めされた状態で設けられる。鏡筒４２は、例えばネジ止めや嵌め込み等により、外装ケース３０に固定される。このように接眼レンズ４５を含む光学系を保持する鏡筒４２内には、ＬＣＤ４１から出射された画像光が入射する。なお、鏡筒４２内に設けられる光学系の構成は、特に本実施形態に限定されず、少なくとも、ＬＣＤ４１から受けた画像光をハーフミラー６に直接的に入射させる光学素子、つまり接眼レンズ４５を有する構成であればよい。
【００５５】
また、外装ケース３０内においては、ＬＣＤ４１と鏡筒４２との間に、調整ダイヤル４６が設けられている。調整ダイヤル４６は、円板状の外形を有する部材であり、その円板状の外形における中心軸が光軸Ｌ１と一致するように配置される。調整ダイヤル４６は、光軸方向について、ＬＣＤ４１と鏡筒４２との間においてＬＣＤ４１寄りの位置に設けられ、左右方向について外装ケース３０の大形部３１の略中央部に位置する。
【００５６】
調整ダイヤル４６は、ＬＣＤ４１から出射される画像光の焦点を調整するための操作部である。調整ダイヤル４６をその中心軸回りに回転させることで、ＬＣＤ４１の光軸方向の位置が変化し、鏡筒４２内の光学系と関係において、ＬＣＤ４１から出射される画像光の焦点の位置が変化する。なお、図示は省略するが、調整ダイヤル４６には、ＬＣＤ４１から出射される画像光の光路を確保するための開口部が設けられている。
【００５７】
また、調整ダイヤル４６は、外装ケース３０の外部からの操作を受けるため、前後方向両端部を、外装ケース３０の前後から露出させた状態で設けられる。このため、外装ケース３０において調整ダイヤル４６が位置する部分の前面部および後面部に、調整ダイヤル４６の前後端部を外装ケース３０内から突出させる開口部３０ａが設けられている。なお、調整ダイヤル４６の外周面には、滑り止めとなる凹凸形状部が設けられている。
【００５８】
以上のような外装ケース３０内の構成において、バックライトからの光を受けたＬＣＤ４１から出射された画像光が、調整ダイヤル４６の位置を経て、接眼レンズ４５を含む光学系を保持する鏡筒４２内に入射する。鏡筒４２内に入射した画像光は、凸レンズ４３、凹レンズ４４、接眼レンズ４５によって集光ないしは平行光化され、鏡筒部３６の先端部に支持されるハーフミラー６に入射する。
【００５９】
ハーフミラー６に入射した画像光は、ハーフミラー６における画像表示面部６３（図６参照）に画像を表示しながら反射され、使用者の左側の眼Ｙ１に入射することで、使用者に画像を視認させる。また、ハーフミラー６は、外光を透過させることで使用者の左側の眼Ｙ１への外光の入射を許容し、左側の眼Ｙ１による外界の視認を維持させる。このように、本実施形態の表示ユニット３が有するハーフミラー６は、鏡筒４２内の光学系から出射する画像光を反射させ使用者の眼Ｙ１に入射させるとともに外光を透過させる。
【００６０】
また、鏡筒４２内に設けられる光学系に関し、最も後段側に位置する接眼レンズ４５は、ＬＣＤ４１から受けた画像光をハーフミラー６に直接的に入射させる光学素子である。ここで、ハーフミラー６に直接的に入射させるとは、接眼レンズ４５とハーフミラー６との間に光を屈折させたり発散させたり収束させたりするための光学素子が存在せず、接眼レンズ４５から出射した光が他の光学素子を経ることなくハーフミラー６に入射することを意味する。
【００６１】
（視野領域について）
本実施形態のＨＭＤ１における使用者の視野領域について説明する。図７に示すように、本実施形態のＨＭＤ１においては、使用者の視野領域として、狭い順に、有効視野領域と、安定注視野領域と、誘導視野領域と、補助視野領域とを有する。なお、図７に示すように、表示ユニット３は、人間の眼の特性が考慮され、水平方向（図７における左右方向）に対してわずかに（例えば１０°程度）下を向く姿勢でフレーム４に支持されて用いられる。
【００６２】
有効視野領域Ａ１は、使用者が集中して見ることができる領域であり、使用者が眼球運動だけでハーフミラー６の画像表示面部６３に表示される画像や外界の対象物を捉えることができ、ノイズの中から目的とする対象を受容できる領域である。有効視野領域Ａ１は、例えば、左右約１５°、上約８°、下約１２°以内の範囲である。有効視野領域Ａ１は、最も狭い領域であり、具体的には、図７に示すように、上下方向について、使用者が視線を水平方向前方に向けた状態（以下「基準視線状態」とする。）においてハーフミラー６の大部分が含まれる程度の視野領域である。なお、基準視線状態においては、使用者の眼Ｙ１の前方に位置するハーフミラー６が、左右方向について使用者の視界の略中心に位置する。
【００６３】
安定注視野領域Ａ２は、有効視野領域Ａ１の外側の領域であり、使用者が頭部の運動を伴うことで無理なく対象を注視できる領域である。安定注視野領域Ａ２は、例えば、左右３０〜４５°、上２０〜３０°、下２５〜４０°の範囲である。安定注視野領域Ａ２では、使用者は、画像表示面部６３の表示画像や外界の対象物に対して効果的な情報受容ができる。安定注視野領域Ａ２は、抽象的には使用者の眼である程度把握できる領域である。安定注視野領域Ａ２内に、使用者の眼前の範囲が収まる。
【００６４】
安定注視野領域Ａ２以内の視野領域には、具体的には、図７に示すように、上下方向については、基準視線状態において外装ケース３０の大形部３１の大部分が含まれる。また、安定注視野領域Ａ２以内の視野領域には、図８（ａ）に示すように、左右方向については、基準視線状態において、外装ケース３０の鏡筒部３６の一部が含まれる。また、安定注視野領域Ａ２以内の視野領域には、外装ケース３０の内部構成との関係においては、図９（ａ）に示すように、左右方向について、基準視線状態において左側に凹レンズ４４の一部が入る。
【００６５】
誘導視野領域Ａ３は、安定注視野領域Ａ２の外側の領域であり、有効視野領域Ａ１や安定注視野領域Ａ２と比べて対象物に対する情報識別能力は低いが、呈示された対象の存在のみ判定でき、主観的な空間座標系に影響を及ぼす領域である。誘導視野領域Ａ３は、例えば、水平３０〜１００°、垂直２０〜８５°の範囲である。誘導視野領域Ａ３は、抽象的には対象物が不明瞭でありながらも全体的に把握できる領域である。誘導視野領域Ａ３以内に、表示ユニット３の外装ケース３０の上下方向の全体が収まる。
【００６６】
誘導視野領域Ａ３以内の視野領域には、具体的には、図７に示すように、上下方向については、基準視線状態において外装ケース３０の大形部３１の全体が含まれる。また、誘導視野領域Ａ３以内の視野領域には、図８（ｂ）に示すように、左右方向については、基準視線状態において、外装ケース３０の本体部３５の一部が含まれる。また、誘導視野領域Ａ３以内の視野領域には、外装ケース３０の内部構成との関係においては、図９（ｂ）に示すように、左右方向について、基準視線状態において左側に鏡筒４２内の光学系が全て入る。
【００６７】
補助視野領域Ａ４は、誘導視野領域Ａ３の外側の領域であり、対象物が不明瞭となり全体的な把握しかできず、呈示された対象への知覚が極度に低下し強い刺激などに注視動作を誘発させる程度の働きをする領域であり、使用者が視野として対象物を視認できる限界の範囲である。補助視野領域Ａ４は、例えば、水平１００°〜２００°、垂直８５°〜１３５°の範囲である。補助視野領域Ａ４以内の視野領域には、例えば図７に示すように、上下方向について、基準視線状態において外装ケース３０が十分に含まれる。
【００６８】
以上のような構成および視野領域を備える本実施形態のＨＭＤ１は、表示ユニット３において、以下に説明するような特徴的な構成を備える。
【００６９】
まず、本実施形態のＨＭＤ１においては、表示ユニット３を構成する外装ケース３０は、鏡筒部３６の上下方向の最大寸法が本体部３５の上下方向の最大寸法よりも小さくなるように構成されている。このような構成について詳細に説明する。
【００７０】
図３および図４に示すように、本実施形態の外装ケース３０は、上記のとおり、大形部３１における略左半分の部分と小形部３２とからなる本体部３５と、大形部３１における略右半分の部分からなる鏡筒部３６とを有する。また、鏡筒部３６は、上下一対の支持突片部３７を有するミラーホルダ部３３の部分を含み、互いに略平行な上面３６ａおよび下面３６ｂを有し、左右方向に直線状に延びる形状を有する。
【００７１】
これらの形状部分を有する外装ケース３０は、本体部３５において、鏡筒部３６の上面３６ａおよび下面３６ｂの各面に対してそれぞれ上側または下側に膨らんだ形状部分である膨出部３９を有する。膨出部３９は、外装ケース３０の内部空間を上下方向に広げるための部分である。このため、膨出部３９が設けられた部分は、他の部分（鏡筒部３６）に対して上下方向に広い収容空間を有する。なお、外装ケース３０において上下の両面部に設けられる膨出部３９は、略上下対称な形状を有することから、共通の符号を用いて説明する。
【００７２】
外装ケース３０は、膨出部３９として、大形部３１に設けられる大形膨出部３９ａと、小形部３２に設けられる小形膨出部３９ｂとを有する。小形膨出部３９ｂは、上下方向について、鏡筒部３６の上面３６ａおよび下面３６ｂの各面からの膨出量、つまりこれら各面からの高さが大形膨出部３９ａよりも低い。
【００７３】
大形膨出部３９ａは、鏡筒部３６の上面３６ａおよび下面３６ｂを左側（本体部３５側）へ延長させた仮想面を底面とする四角錐形状の基部部分のような形状を有する。詳細には、大形膨出部３９ａは、平面視で、大形部３１の形状に沿って左右方向を長手方向とする丸め長方形状を有する。そして、大形膨出部３９ａは、その平面視形状である略長方形状の周縁部分を形成する斜面部３９ｃと、斜面部３９ｃに囲まれた平面を形成する平面部３９ｄとを有する。
【００７４】
したがって、膨出部３９は、鏡筒部３６の上面３６ａおよび下面３６ｂに対して、斜面部３９ｃから平面部３９ｄにかけて膨出量を増加させる。そして、膨出部３９においては、大形膨出部３９ａの平面部３９ｄが、鏡筒部３６の上面３６ａおよび下面３６ｂに対して最も高い位置となる。上下両側の大形膨出部３９ａの平面部３９ｄは、互いに略平行な面となる。
【００７５】
以上のような形状部分を有する外装ケース３０においては、図１０に示す模式図のように、左右方向について、膨出部３９（大形膨出部３９ａ）が設けられる部分が、外装ケース３０における本体部３５に相当し、本体部３５以外の部分、つまり膨出部３９が設けられる部分よりも右側の部分が鏡筒部３６に相当する。
【００７６】
そして、図１０に示すように、本体部３５の上下方向の最大寸法は、大形膨出部３９ａの上側の平面部３９ｄと下側の平面部３９ｄとの間の上下方向の寸法Ｂ１として規定される。また、鏡筒部３６の上下方向の最大寸法は、上面３６ａと下面３６ｂとの間の上下方向の寸法Ｂ２として規定される。そして、本実施形態の外装ケース３０においては、鏡筒部３６の上下方向の寸法Ｂ２の方が、膨出部３９が存在しない分、本体部３５の上下方向の寸法Ｂ１よりも小さい（Ｂ１＞Ｂ２）。
【００７７】
このように本体部３５の上下方向の寸法Ｂ１よりも小さい鏡筒部３６の上下方向の寸法Ｂ２は、ハーフミラー６の上下方向の寸法Ｂ３に応じた大きさとなる。詳細には次のとおりである。
【００７８】
ハーフミラー６は、外装ケース３０のミラーホルダ部３３において上下一対の支持突片部３７により上下から挟まれた態様で支持される。このため、一対の支持突片部３７間の間隔は、ハーフミラー６の上下方向（短手方向）の寸法に対応した寸法となる。また、鏡筒部３６の上下方向の寸法Ｂ２を規定する上面３６ａおよび下面３６ｂは、ミラーホルダ部３３を構成する支持突片部３７の部分も含め、互いに略平行となる平面を形成する。これらのことから、ハーフミラー６の上下方向の寸法Ｂ３が決まると、それに応じて一対の支持突片部３７の間の間隔の寸法が定まり、上面３６ａと下面３６ｂとの間の寸法、つまりは鏡筒部３６の上下方向の寸法Ｂ２が規定されることになる。
【００７９】
このように、表示ユニット３を構成する外装ケース３０は、鏡筒部３６の上下方向の最大寸法（寸法Ｂ２）が本体部３５の上下方向の最大寸法（寸法Ｂ１）よりも小さくなるように構成されている。
【００８０】
次に、本実施形態のＨＭＤ１においては、表示ユニット３を構成する外装ケース３０は、本体部３５が使用者の視野のうち使用者の頭部の運動を伴うことで無理なく対象を注視できる領域、つまり安定注視野領域Ａ２の外側に位置するように構成されている。
【００８１】
上述したように、外装ケース３０は、上下面部に膨出部３９が設けられた本体部３５と、左右方向に直線状に形成された鏡筒部３６とを有する（図１０参照）。そして、これら本体部３５および鏡筒部３６の配置構成に関し、上述したような使用者の視野領域との関係において、本体部３５が安定注視野領域Ａ２の外側に位置するように、外装ケース３０が構成されている。
【００８２】
図８（ａ）、図９（ａ）に示すように、使用者の左側の眼Ｙ１の視界に対して外装ケース３０が左側から右側に向けて突出して入るという、使用者の視界に対する外装ケース３０の配置において、使用者の視野領域との関係では、外装ケース３０の鏡筒部３６のみが安定注視野領域Ａ２内に入り、本体部３５の部分は、安定注視野領域Ａ２の左側の外に位置する。つまり、左側から右側にかけて順に本体部３５および鏡筒部３６を有する外装ケース３０は、使用者の視界に突出する先端側の鏡筒部３６が安定注視野領域Ａ２内に位置し、本体部３５が安定注視野領域Ａ２の左外側に位置するように構成されている。したがって、図８（ａ）に示すように、本体部３５が有する膨出部３９は、安定注視野領域Ａ２の左外側に位置する。
【００８３】
このような外装ケース３０の各形状部分と視野領域との関係においては、使用者の左側の眼Ｙ１の安定注視野領域Ａ２には、直線状に形成された鏡筒部３６のみが収まることになる。そして、図８（ｂ）および図９（ｂ）に示すように、視野領域が誘導視野領域Ａ３まで広がると、本体部３５の一部が視野領域内に入る。したがって、誘導視野領域Ａ３においては、左右方向について視野中心から左側にかけて、鏡筒部３６の上面３６ａおよび下面３６ｂから、上下の膨出部３９の斜面部３９ｃを経て平面部３９ｄの一部が視野領域内に存在する。
【００８４】
以上のように、本体部３５が安定注視野領域Ａ２の外側に位置し、かつ、鏡筒部３６の上下方向の最大寸法（寸法Ｂ２）が本体部３５の上下方向の最大寸法（寸法Ｂ１）よりも小さくなるように外装ケース３０が構成された本実施形態の表示ユニット３において、接眼レンズ４５は、鏡筒４２において、ハーフミラー６に近接する端部位置近傍に設けられている。
【００８５】
接眼レンズ４５を含む光学系を内装する鏡筒４２については、画角等との関係から最低限必要な長さ（筒軸方向の寸法）が想定される。そこで、このような最低限の長さの鏡筒４２において、接眼レンズ４５が、ハーフミラー６側の最端部の位置に設けられる。これにより、接眼レンズ４５が、ハーフミラー６に極力近付いた位置に設けられる。
【００８６】
接眼レンズ４５は、上述したようにハーフミラー６に対して画像光を直接的に入射させるように設けられる。一方、略矩形板状の部材であるハーフミラー６は、その板面が上下方向と略平行となるように、しかもＨＭＤ１の使用時には平面視で前後方向に対して略４５°傾いた状態で支持される。このような接眼レンズ４５とハーフミラー６との配置構成において、接眼レンズ４５が、ハーフミラー６に対して極力近付いた位置に配置される。
【００８７】
具体的には、図６および図９に示すように、平面視で前後方向に対して略４５°傾いた状態のハーフミラー６においては、ハーフミラー６の前端部の位置が、ハーフミラー６の左側の端部の位置となる。このため、左右方向について、ハーフミラー６と、ハーフミラー６の左側に位置する接眼レンズ４５との間の最短距離は、ハーフミラー６の前端の位置と接眼レンズ４５との間の距離Ｄ１となる（図６参照）。
【００８８】
そして、接眼レンズ４５は、このハーフミラー６との間の左右方向の距離Ｄ１が極力短くなるように、ハーフミラー６の直近に位置するように設けられる。つまり、接眼レンズ４５が鏡筒４２を介して鏡筒部３６に支持される構成において、接眼レンズ４５が鏡筒４２の右側の開口端に対して極力近い位置に支持され、鏡筒４２が鏡筒部３６の右側の開口端に対して極力近い位置に支持される。
【００８９】
以上のような構成を備える本実施形態のＨＭＤ１によれば、使用者に対して外界への視界を確保しながら画像を表示するシースルー型の構成において、外界視野を十分に確保しながら、表示画像の画角を十分に広くすることができる。このような効果が得られることについて説明する。
【００９０】
シースルー型のＨＭＤ１においては、使用者はＬＣＤ４１からの画像光によりハーフミラー６の画像表示面部６３に表示される画像と外光により視認される外界との両方を見るため、使用者の視界に大きな外装ケース３０が存在すると、使用者は視野が狭く感じる。具体的には、本実施形態の外装ケース３０のように本体部３５と鏡筒部３６とを有する構成においては、本体部３５よりも左右方向の内側（使用者の鼻側）に位置する鏡筒部３６の外形サイズの方が、使用者の視界に対して左側から突出した態様となることから、使用者の視界に与える影響が大きい。
【００９１】
本実施形態の表示ユニット３において、本体部３５は、ＬＣＤ４１、バックライト等の光源、各種回路を含む表示制御部、電源部等の各種構成部品が内蔵される部分であり、これらの構成部品を収容するための空間を要する。このため、本体部３５には、上下の面部に膨出部３９が設けられ、内部空間が上下方向に広げられている。また、本体部３５には、画像光の焦点を調整するための調整ダイヤル４６も配置される。このように、外装ケース３０を構成する本体部３５は、各種構成部品の収容空間を確保する観点から、小型化に対する制約が大きい。
【００９２】
これに対し、鏡筒部３６に収容される構成部品は、基本的には鏡筒４２のみである。つまり、鏡筒部３６は、本体部３５内のＬＣＤ４１から出射される画像光を導く光学系を収容するとともにハーフミラー６を支持する部分である。このため、外装ケース３０を構成する鏡筒部３６は、小型化に対する制約が比較的小さい。
【００９３】
そこで、本実施形態の外装ケース３０は、外形サイズ、特に上下方向の寸法が大きくなる本体部３５を、使用者の眼前の範囲を収め使用者の頭部の運動を伴うことで無理なく対象を注視できる安定注視野領域Ａ２の外側に位置させるとともに、左側から安定注視野領域Ａ２内に入り込む鏡筒部３６の上下方向の寸法（寸法Ｂ２）を、本体部３５の上下方向の寸法（寸法Ｂ１）よりも小さくしている。このような構成により、外形サイズが大きい本体部３５の視界に対する影響を小さくすることができ、使用者の視界に与える影響が大きい鏡筒部３６の上下方向の寸法が小さくなる。これにより、使用者は外装ケース３０により視界が遮られる感じを受けることなく、外界への視界を十分に確保することができる。
【００９４】
また、接眼レンズ４５がハーフミラー６に極力近付いた位置に設けられていることから、表示画像について十分な画角を得ることができる。このことについて詳細に説明する。表示画像の画角は、眼Ｙ１の位置（射出瞳の位置）から接眼レンズ４５のレンズ面の頂点の位置までの光軸上の距離（アイレリーフ）によって変化する。具体的には、接眼レンズ４５のレンズ径が一定の場合、アイレリーフが短いほど、画角が大きくなる。
【００９５】
本実施形態のＨＭＤ１においては、図５に示すように、眼Ｙ１の位置からハーフミラー６までの光軸上の距離である第１距離ＥＲ１と、ハーフミラー６から接眼レンズ４５までの光軸上の距離である第２距離ＥＲ２との和が、アイレリーフとなる。また、第１距離ＥＲ１については、眼鏡型のフレーム４により表示ユニット３が支持される構成のＨＭＤ１においてはほぼ一定値が採用される。このため、アイレリーフを短くするためには、第２距離ＥＲ２の方を短くすることが効果的である。
【００９６】
そこで、接眼レンズ４５をハーフミラー６に対して極力近付けて配置することで、第２距離ＥＲ２を短くすることができ、アイレリーフを全体として短くすることができる。結果として、表示画像について十分な画角を確保することができる。また、画角を維持する観点からは、接眼レンズ４５をハーフミラー６に近付けることで、接眼レンズ４５のレンズ径を小さくすることができる。そして、接眼レンズ４５のレンズ径が小さくなることは、上述したように外形サイズが使用者の視界に与える影響が大きい鏡筒部３６の上下方向の寸法を小さくすることに繋がる。
【００９７】
以上のように、本実施形態のＨＭＤ１によれば、外界に対する良好な視界が得られるとともに表示画像について広い画角が得られ、外界視野と表示画像の画角との両立が可能となる。なお、外装ケース３０において上下方向の寸法の大小関係が規定される本体部３５および鏡筒部３６については、本実施形態では、上下方向について鏡筒部３６の全部が本体部３５の寸法の範囲内に含まれているが、これに限定されず、鏡筒部３６の一部が本体部３５よりも下側または上側に出るような構成であってもよい。
【００９８】
（ハーフミラーの構成）
次に、表示ユニット３が有するハーフミラー６の構成について、図１１を用いて説明する。ハーフミラー６は、接眼レンズ４５から入射するする画像光を反射させ使用者の眼Ｙ１に入射させるとともに外光を透過させる略板状の部材であり、その板面が上下方向と略平行となりかつ短手方向（図１１において上下方向）が上下方向となる向きで支持される。
【００９９】
図１１に示すように、ハーフミラー６は、略矩形板状の透明基板６０を基体とし、透明基板６０の両側の板面のうち画像光を受ける側（以下「表側」とする。）の板面６１に、蒸着面部６２を有する。蒸着面部６２は、例えばアルミニウムや銀等の反射物質が蒸着されることで形成され、光を反射させる機能を有する。つまり、ハーフミラー６においては、この蒸着面部６２が、画像光を反射させるとともに外光を透過させる部分となる。
【０１００】
図１１に示すように、蒸着面部６２は、透明基板６０の外形に対応して、短手方向を上下方向とする矩形状の領域として設けられる。詳細には、蒸着面部６２は、略矩形板状の板面６１における各辺部に対して縁端から所定の間隔を隔てることで、板面６１よりも一回り小さい範囲に形成され、蒸着面部６２の周囲には、反射物質が蒸着されていない透明基板６０そのままの部分が、全周にわたって存在する。
【０１０１】
このように透明基板６０の板面６１に設けられる蒸着面部６２に対して、ＬＣＤ４１から出射される画像光による画像表示が行われる。このため、蒸着面部６２には、画像光が照射されて画像光による画像が表示される画像表示面部６３が存在する。画像表示面部６３は、図１１に示すように、蒸着面部６２と同様に短手方向を上下方向とする矩形状の領域であり、蒸着面部６２に対して一回り小さい領域として設定される。
【０１０２】
このように、板面６１上に蒸着面部６２および画像表示面部６３を有するハーフミラー６においては、板面６１、つまり透明基板６０の表側の板面全体が、光を透過させる第１の領域に相当する。また、板面６１に形成される蒸着面部６２が、第１の領域としての板面６１に含まれ、外光を透過させることが可能であり、かつ、鏡筒４２内の接眼レンズ４５を含む光学系から出射する画像光を反射させて画像を表示することが可能な第２の領域に相当する。また、蒸着面部６２内の画像表示面部６３が、第２の領域としての画像表示面部６３に含まれ、鏡筒４２内の接眼レンズ４５を含む光学系から出射する画像光による画像が表示される第３の領域に相当する。
【０１０３】
また、ハーフミラー６においては、外装ケース３０のミラーホルダ部３３において軸支部３８により支持される支持突起６４が設けられている。つまり、ハーフミラー６は、この支持突起６４の部分が軸支部３８により支持されることで、ミラーホルダ部３３に対して回動可能に支持される。支持突起６４は、ハーフミラー６の上辺部および下辺部においてそれぞれ上方または下方に突出する略円柱状の突起部分であり、ハーフミラー６の長手方向（図１１において左右方向）の略中央部に設けられる。
【０１０４】
また、ハーフミラー６は、前端部、つまり上述したように平面視で略４５°傾いた状態での左側の端部に、本体部分に対して折れ曲った形状を有する屈曲部６５を有する。屈曲部６５は、ハーフミラー６において本体部分に対して裏側（表側と反対側）に折れ曲った形状部分である。屈曲部６５は、ハーフミラー６の前端側（左側）を頂点側とする略二等辺三角形状を有する。
【０１０５】
以上のような構成を有するハーフミラー６においては、第３の領域である画像表示面部６３は、上下方向に直交する方向について、第１の領域である板面６１の中心に対して、顔中央側に片寄った位置にある。ここで、上下方向に直交する方向は、略矩形板状のハーフミラー６においてその長手方向（図１１における左右方向）に相当する。
【０１０６】
したがって、図１１に示すように、ハーフミラー６において、その長手方向の中心は、透明基板６０の長手方向の寸法Ｓ１における中心の位置となる。つまり、この透明基板６０の長手方向の中心の位置が、第１の領域としての板面６１の中心の位置Ｃ１となる。
【０１０７】
そして、この板面６１の中心の位置Ｃ１に対して、第３の領域としての画像表示面部６３が、顔中央側（鼻側）に片寄った位置に設けられる。ここで、本実施形態のＨＭＤ１は使用者の左側の眼Ｙ１に対して画像を表示するものであることから、顔中央側は右側となる。ハーフミラー６においては、顔中央側は、左右方向について屈曲部６５が設けられる側と反対側となる。
【０１０８】
したがって、画像表示面部６３における左右方向についての中心の位置をＣ３とすると、この画像表示面部６３の長手方向の中心の位置Ｃ３は、板面６１の中心の位置Ｃ１に対して、顔中央側、つまり図１１において右側に距離ΔＸずれている。すなわち、画像表示面部６３の板面６１に対する位置関係について、顔中央側に片寄った位置とは、透明基板６０の長手方向について、板面６１の中心位置（符号Ｃ１参照）に対して、画像表示面部６３の中心位置（符号Ｃ３参照）が顔中央側にずれる位置と言える。
【０１０９】
このように、ハーフミラー６において、画像表示面部６３が、板面６１に対して顔中央側に片寄った位置に存在することで、ハーフミラー６に対して鏡筒４２側、つまりハーフミラー６に対してミラーホルダ部３３を構成する鏡筒部３６が存在する側（図１１において左側、顔外側）について、外界への視界を広げることができる。これにより、外界への視界について、ハーフミラー６の左右両側でバランスの良い視界を得ることができる。
【０１１０】
詳細には、ハーフミラー６を構成する透明基板６０の表側においては、画像表示面部６３以外の領域、つまり蒸着面部６２と板面６１の領域は、画像光による画像が表示されずに外光を透過させる領域である。このため、画像表示面部６３が顔中央側に片寄ることで、ハーフミラー６の顔外側（左側）において、画像光による画像が表示されずに外光を透過させる領域を広げることができる。これにより、ハーフミラー６の顔外側において外界への視界を広く確保することができる。
【０１１１】
一方、ハーフミラー６の右側、つまり顔中央側については、ハーフミラー６を支持する部分等が存在せず、開放されている。このため、ハーフミラー６の右側は、本来的に外界に対して広い視界が得られる。そこで、上述のようにハーフミラー６の顔外側において外界への視界が広がることで、ハーフミラー６の左右両側で、外界への視界のバランスが向上し、外界に対して良好な視界を得ることができる。なお、本実施形態では、板面６１、蒸着面部６２、および画像表示面部６３の各領域は、いずれも透明基板６０の外形形状に対応して略矩形状ないし矩形状であるが、これらの領域の形状は、特に限定されず、例えば正方形状や楕円形状等であってもよい。
【０１１２】
また、本実施形態のハーフミラー６は、透明基板６０の表側における各領域について、次のような構成を備える。本実施形態のハーフミラー６においては、第２の領域である蒸着面部６２は、上下方向に直交する方向について、第１の領域である板面６１の中心に対して、顔中央側に片寄った位置にある。すなわち、ハーフミラー６においては、蒸着面部６２も、画像表示面部６３と同様に、使用者の鼻側に片寄った位置に存在する。
【０１１３】
したがって、図１１に示すように、蒸着面部６２における左右方向についての中心の位置をＣ２とすると、この蒸着面部６２の長手方向の中心の位置Ｃ２は、板面６１の中心の位置Ｃ１に対して、顔中央側、つまり図１１において距離ΔＹ右側にずれている。すなわち、蒸着面部６２の板面６１に対する位置関係について、顔中央側に片寄った位置とは、透明基板６０の長手方向について、板面６１の中心位置（符号Ｃ１参照）に対して、蒸着面部６２の中心位置（符号Ｃ２参照）が顔中央側にずれる位置と言える。
【０１１４】
このように、ハーフミラー６において、蒸着面部６２が、板面６１に対して顔中央側に片寄った位置に存在することで、鏡筒４２と蒸着面部６２との間が広がるため、画像表示面部６３の場合と同様に、ハーフミラー６の顔外側について、外界への視界を広げることができ、外界への視界について、ハーフミラー６の左右両側でバランスの良い視界を得ることができる。特に、蒸着面部６２が板面６１に対して顔中央側に片寄った構成によれば、ハーフミラー６の顔外側において、画像光による画像が表示されずに外光を透過させる領域に関し、蒸着面部６２よりも外光の透過性が高い板面６１の領域を広げることができる。これにより、ハーフミラー６の顔外側における外界への視界の確保がより効果的となり、ハーフミラー６の左右両側での外界への視界のバランスがより向上し、外界に対して良好な視界を得ることができる。
【０１１５】
また、本実施形態のハーフミラー６は、その外形形状について、次のような構成を備える。すなわち、ハーフミラー６は、上下方向に直交する方向の寸法が上下方向の寸法よりも長い形状を有する。言い換えると、ハーフミラー６は、上下方向に直交する方向、つまり水平方向（図１１における左右方向）を長手方向とする外形形状を有する。
【０１１６】
したがって、図１１に示すように、略矩形板状の外形を有するハーフミラー６においては、水平方向の寸法Ｓ１が、上下方向の寸法Ｓ２よりも長くなる。寸法Ｓ１と寸法Ｓ２の比率としては、例えば、画像表示面部６３の縦横比に対して、長手方向の寸法Ｓ１の割合が大きい比率が採用される。つまり、ハーフミラー６は、画像表示面部６３の形状よりも横長の形状とされることが好ましい。
【０１１７】
このように水平方向に長い外形形状を有するハーフミラー６が、その長手方向の略中央部の位置で、支持突起６４により、ミラーホルダ部３３の軸支部３８において上下方向を支軸方向として支持される。
【０１１８】
このように、ハーフミラー６が水平方向を長手方向とする外形形状を有する構成によれば、ハーフミラー６の顔外側において、画像光による画像が表示されずに外光を透過させる領域の面積の確保を容易に行うことができ、上述したようなハーフミラー６の顔外側における外界への視界の確保を容易に行うことができる。特に、ハーフミラー６を画像表示面部６３よりも横長形状の縦横比とすることにより、ハーフミラー６の顔外側において、画像光による画像が表示されずに外光を透過させる領域について十分な面積を容易に確保することができ、ハーフミラー６の顔外側において十分な外界視野を得ることができる。結果として、外界への視界について、ハーフミラー６の左右両側でよりバランスの良い視界を得ることができる。
【０１１９】
また、本実施形態のハーフミラー６は、その支持位置について、次のような構成を備える。ハーフミラー６は、上述したように、鏡筒部３６に対して、ミラーホルダ部３３において上下方向を支軸方向として支持される。そして、このハーフミラー６の支持位置が、ハーフミラー６の上下方向に直交する方向について、中央もしくは中央より顔外側に位置する。つまり、ハーフミラー６の支持位置は、ハーフミラー６の長手方向について、中央の位置を顔中心側の限界の位置として、その位置よりも顔外側に位置する。
【０１２０】
図１１に示すように、ハーフミラー６の支持位置は、支持突起６４が設けられる位置である。厳密には、支持突起６４による上下方向の支軸Ｔ１の位置である。また、ハーフミラー６において、上下方向に直交する方向は、上記のとおりハーフミラー６の長手方向である。したがって、ハーフミラー６において上下方向に直交する方向についての中央の位置は、上述したように板面６１の中心の位置Ｃ１に相当する。
【０１２１】
本実施形態のハーフミラー６においては、ハーフミラー６の支持位置である支軸Ｔ１の位置は、ハーフミラー６の長手方向の中央の位置である板面６１の中心の位置Ｃ１よりもわずかに顔外側に位置する。つまり、ハーフミラー６の支持位置である支軸Ｔ１は、板面６１の中心の位置Ｃ１に対して、顔外側に間隔ΔＺを隔てた位置に存在する。
【０１２２】
ただし、ハーフミラー６の支持位置（支軸Ｔ１の位置）は、ハーフミラー６の長手方向の中央位置でもいい。つまり、ハーフミラー６の支持位置としては、支軸Ｔ１の位置が板面６１の中心の位置Ｃ１に一致するか、もしくは本実施形態のように支軸Ｔ１の位置が中心の位置Ｃ１よりも顔外側（図１１において左側）に位置すればよい。
【０１２３】
このようなハーフミラー６の支持位置によれば、ハーフミラー６の長手方向について、支持位置よりも顔外側の部分の寸法が、支持位置よりも顔中央側の部分の寸法よりも短くなる。これにより、ハーフミラー６の上下両側において広い視界を得ることができ、外界への視界を広げることができる。詳細には、次のとおりである。
【０１２４】
ハーフミラー６は、ミラーホルダ部３３において右側に向けて突出する角部分を頂点部分とする略三角形状をなす板状の支持突片部３７により上下から挟まれた態様で、各支持突片部３７の頂点部分に位置する軸支部３８において軸支される。このため、ハーフミラー６の支持位置よりも顔外側（左側）においては、ハーフミラー６の上下に板状の支持突片部３７が存在する（図１１参照）。
【０１２５】
このようにハーフミラー６の上下両側に存在する支持突片部３７は、使用者の外界への視界を妨げる。つまり、ハーフミラー６の上下両側において支持突片部３７が存在する部分は、支持突片部３７が存在する分、ハーフミラー６の上下における外界への視界が狭くなる。
【０１２６】
そこで、ハーフミラー６の長手方向について、支持位置よりも顔外側の部分の寸法が、支持位置よりも顔中央側の部分の寸法よりも短くなると、ハーフミラー６の上下において支持突片部３７が存在する部分が短くなる。つまり、ハーフミラー６の長手方向について、ハーフミラー６において上下の支持突片部３７によって挟まれた範囲が狭くなる。
【０１２７】
これにより、支持突片部３７が存在することでハーフミラー６の上下における外界への視界が狭くなる範囲が狭くなる。結果として、ハーフミラー６の支持位置よりも顔中央側の、支持突片部３７が存在しない範囲が広くなり、ハーフミラー６の上下における外界への視界を広げることができ、ハーフミラー６の周囲において開放感のある良好な視界が得られる。
【０１２８】
このようなハーフミラー６の支持位置に関しては、ハーフミラー６の支持位置がハーフミラー６の長手方向の中央位置に近付くほど、支持突片部３７が存在する範囲が増える分、視界が狭くなる。一方、ハーフミラー６の支持の安定性の面からは、ハーフミラー６の支持位置は中央位置に近い方が好ましい。したがって、ハーフミラー６の上下における良好な視界と支持の安定性を得る観点からは、ハーフミラー６の具体的な支持位置としては、例えば、ハーフミラー６の長手方向について、ハーフミラー６の顔外側の端部から１／３程度の位置が好ましい。
【０１２９】
ここで、ハーフミラー６を支持するミラーホルダ部３３の形状について詳細に説明する。上述したように、ミラーホルダ部３３を構成する上下一対の支持突片部３７は、平面視において、２つの斜辺部により形成される角部分を右側に向けて突出させ、その角部分を頂点部分とする略三角形状をなす板状の部分である。
【０１３０】
このように、鏡筒部３６は、ハーフミラー６を支持する部分として、一対の支持突片部３７を有する。そして、支持突片部３７は、平面視で、使用者の手前側に位置する第１の斜辺部と、使用者の奥側に位置し第１の斜辺部よりも短い第２の斜辺部とからなり、顔中央側に突出する角部を形成する部分である。
【０１３１】
具体的には、図４に示すように、支持突片部３７は、使用者の手前側（図４において下側）に位置する第１の斜辺部としての長辺部３７ａと、第２の斜辺部としての短辺部３７ｂとを有する。すなわち、長辺部３７ａの長さをＥ１、短辺部３７ｂの長さをＥ２とした場合、Ｅ１＞Ｅ２となる。このように、ミラーホルダ部３３を構成する一対の支持突片部３７は、平面視で不等辺三角形状を有する。
【０１３２】
そして、一対の支持突片部３７により支持されるハーフミラー６は、支持突片部３７において長辺部３７ａと短辺部３７ｂとにより形成される角部の頂点部に支持位置を位置させた状態で支持される。つまり、ハーフミラー６は、一対の支持突片部３７の頂点部分に位置する軸支部３８により、上下方向を支軸方向として支持される。ここで、ハーフミラー６の支持位置は、上述したようにハーフミラー６の長手方向について中央の位置よりも顔外側に位置する。
【０１３３】
また、長辺部３７ａと短辺部３７ｂとを有する支持突片部３７は、平面視において、前後方向に対して略４５°傾いた状態で支持されるハーフミラー６に対して、短辺部３７ｂをハーフミラー６に沿わせるような形状を有する。つまり、ハーフミラー６の支持位置よりも顔外側の部分と、支持突片部３７の短辺部３７ｂとが、平面視において略平行となるように、支持突片部３７の形状が設定されている。
【０１３４】
したがって、図４に示すように、平面視において、ハーフミラー６の軸支部３８による支持位置よりも使用者の奥側（図４において上側）、つまり顔外側の部分は、短辺部３７ｂに沿う状態で支持突片部３７により覆われる。そして、同じく平面視において、ハーフミラー６の軸支部３８による支持位置よりも使用者の手前側（図４において下側）、つまり顔中央側の部分のみが、支持突片部３７から露出した状態となる。
【０１３５】
以上のようなハーフミラー６の支持位置、およびハーフミラー６を支持するミラーホルダ部３３の形状によれば、ハーフミラー６の支持について高い安定性が得られるとともに、ハーフミラー６の上下において支持突片部３７が存在しない領域を意図的に容易に設けることができ、ハーフミラー６の周囲において広い視界を得ることができる。
【０１３６】
以上のようにミラーホルダ部３３に支持されるハーフミラー６は、ミラーホルダ部３３において収納可能に設けられている。ハーフミラー６の収納構造について説明する。
【０１３７】
ハーフミラー６は、ミラーホルダ部３３の軸支部３８による支持位置を回動中心とし、上下方向を回動軸方向として回動することで、ミラーホルダ部３３に対して収納される。ハーフミラー６は、図３から図５に示すようにＨＭＤ１の使用時における、平面視で前後方向に対して略４５°傾いた状態から、ハーフミラー６の支持位置よりも顔中央側の部分が使用者の手前側に向かう方向（図５において右回りの方向、矢印Ｆ１参照）に回動することで、ミラーホルダ部３３に対して収納された状態となる。図１２に、ハーフミラー６の収納時の表示ユニット３の状態を示す。
【０１３８】
図４および図５において２点鎖線で示すように、ハーフミラー６は、収納された状態において、透明基板６０の板面６１が鏡筒４２内の光学系の光軸Ｌ１に対して略垂直な状態となる。ハーフミラー６の収納動作は、使用時において平面視でハーフミラー６の支持突片部３７から露出した部分が鏡筒部３６側に畳まれる態様となる。
【０１３９】
ハーフミラー６には、ハーフミラー６の傾いた状態を保持するための係止突起６６が設けられている（図１１参照）。係止突起６６は、支持突片部３７に係合することで、ハーフミラー６の回動を規制する。また、ハーフミラー６の顔外側の端部には、ハーフミラー６の回動操作の際の操作部となるツマミとして用いられる三角形状の屈曲部６５が設けられている。
【０１４０】
以上のように、ハーフミラー６は、その支持位置を中心として、支持位置よりも顔中央側の部分が使用者の手前側に移動する方向に回動することで収納される。また、ハーフミラー６の収納に際しての回動範囲は、少なくともハーフミラー６の反射面が鏡筒４２内の光学系の光軸Ｌ１に対して垂直な面と略平行となる位置までである。なお、収納時におけるハーフミラー６の回動位置は、ハーフミラー６の支持位置よりも顔中央側の部分によって鏡筒部３６の開口部の後側（使用者の手前側）の部分がほぼ完全に閉じられるような態様であってもよい。
【０１４１】
以上のようなハーフミラー６の収納構造によれば、ハーフミラー６の収納時には、蒸着面部６２を保護することができる。また、収納状態のハーフミラー６によって鏡筒部３６の開口部が覆われることから、鏡筒部３６の開口端の近傍に位置する接眼レンズ４５を外部接触や埃の付着等から保護することができる。また、ハーフミラー６の収納時には、ハーフミラー６のミラーホルダ部３３からの突出形態が緩和され、ＨＭＤ１の未使用時における安全性の向上を図ることができる。
【０１４２】
以上説明した本実施形態のＨＭＤ１は、鏡筒部３６の端部に支持されて使用者の眼前に位置するビームスプリッタとしてハーフミラー６を備えるが、これに限定されるものではない。ビームスプリッタとしては、例えば、画像表示部から出射される画像光の偏光特性を適正に選ぶことにより、偏光ビームスプリッタを採用することができる。
【０１４３】
以上説明したように、上述した実施形態に係るＨＭＤ１によれば、以下の効果が期待できる。
【０１４４】
（１）本実施形態のＨＭＤ１は、画像を表示するための画像光を出射するＬＣＤ４１を有する表示ユニット３と、表示ユニット３を支持し使用者の頭部に装着されるフレーム４と、を備え、表示ユニット３は、ＬＣＤ４１を収容する本体部３５、およびＬＣＤ４１から出射される画像光が入射する光学系を内装する鏡筒４２を収容する鏡筒部３６を含む外装ケース３０と、鏡筒部３６の端部に支持された状態で使用者の眼前に位置するように設けられ、光学系から出射する画像光を反射させ使用者の眼Ｙ１に入射させるとともに外光を透過させるビームスプリッタの一例としてのハーフミラー６と、を有し、光学系は、ＬＣＤ４１から受けた画像光をハーフミラー６に直接的に入射させる接眼レンズ４５を含み、外装ケース３０は、本体部３５が使用者の頭部の運動を伴うことで無理なく対象を注視できる安定注視野領域Ａ２の外側に位置し、かつ、鏡筒部３６の上下方向の最大寸法が本体部３５の上下方向の最大寸法よりも小さくなるように構成され、接眼レンズ４５は、鏡筒４２において、ハーフミラー６に近接する端部位置近傍に設けられている。これにより、使用者に対して外界への視界を確保しながら画像を表示するシースルー型の構成において、外界視野を十分に確保しながら、表示画像の画角を十分に広くすることができる。
【０１４５】
（２）本実施形態のＨＭＤ１においては、ハーフミラー６は、光を透過させる板面６１と、板面６１に含まれ、外光を透過させることが可能であり、かつ、光学系から出射する画像光を反射させて画像を表示することが可能な蒸着面部６２と、蒸着面部６２に含まれ、光学系から出射する画像光による画像が表示される画像表示面部６３と、を有し、蒸着面部６２は、上下方向に直交する方向について、板面６１の中心に対して、使用者の顔の中央側に片寄った位置にある。これにより、ハーフミラー６の顔外側について、外界への視界を広げることができ、外界への視界について、ハーフミラー６の左右両側でバランスの良い視界を得ることができる。
【０１４６】
（３）本実施形態のＨＭＤ１においては、蒸着面部６２は、上下方向に直交する方向について、板面６１の中心に対して、使用者の顔の中央側に片寄った位置にある。これにより、ハーフミラー６の顔外側について、外界への視界を広げることができ、外界への視界について、ハーフミラー６の左右両側でバランスの良い視界を得ることができる。
【０１４７】
（４）本実施形態のＨＭＤ１においては、ハーフミラー６は、上下方向に直交する方向の寸法が上下方向の寸法よりも長い形状を有する。これにより、ハーフミラー６の顔外側における外界への視界の確保を容易に行うことができ、外界への視界について、ハーフミラー６の左右両側でよりバランスの良い視界を得ることができる。
【０１４８】
（５）本実施形態のＨＭＤ１においては、ハーフミラー６は、鏡筒部３６に対して、上下方向を支軸方向として支持され、ハーフミラー６の支持位置は、ハーフミラー６の上下方向に直交する方向について、中央もしくは中央より使用者の顔の外側に位置する。これにより、ハーフミラー６の上下両側において広い視界を得ることができ、外界への視界を広げることができる。
【０１４９】
（６）本実施形態のＨＭＤ１においては、鏡筒部３６は、ハーフミラー６を支持する部分として、平面視で、使用者の手前側に位置する長辺部３７ａと、使用者の奥側に位置し長辺部３７ａよりも短い短辺部３７ｂとを含み、使用者の顔の中央側に突出する角部を形成する支持突片部３７を有し、ハーフミラー６は、支持突片部３７の角部の頂点部に支持位置を位置させた状態で支持される。これにより、ハーフミラー６の周囲において広い視界を得ることができる。
【０１５０】
（７）本実施形態のＨＭＤ１においては、ハーフミラー６は、支持位置を中心として、少なくともハーフミラー６の反射面が光学系の光軸Ｌ１に対して垂直な面と略平行となる位置まで、支持位置よりも使用者の顔の中央側の部分が使用者の手前側に移動する方向に回動することで収納される。これにより、ハーフミラー６の収納時には、蒸着面部６２や接眼レンズ４５を保護することができ、ＨＭＤ１の未使用時における安全性の向上を図ることができる。
【符号の説明】
【０１５１】
１      ＨＭＤ（ヘッドマウントディスプレイ）
３      表示ユニット
４      フレーム（支持フレーム）
６      ハーフミラー（ビームスプリッタ）
３０    外装ケース
３５    本体部
３６    鏡筒部
３７    支持突片部
３７ａ  長辺部（第１の斜辺部）
３７ｂ  短辺部（第２の斜辺部）
３８    軸支部
３９    膨出部
４１    ＬＣＤ（画像表示部）
４２    鏡筒
４５    接眼レンズ
６１    板面（第１の領域）
６２    蒸着面部（第２の領域）
６３    画像表示面部（第３の領域）
【図１】
2013210587.tif 000003
【図２】
2013210587.tif 000004
【図３】
2013210587.tif 000005
【図４】
2013210587.tif 000006
【図５】
2013210587.tif 000007
【図６】
2013210587.tif 000008
【図７】
2013210587.tif 000009
【図８】
2013210587.tif 000010
【図９】
2013210587.tif 000011
【図１０】
2013210587.tif 000012
【図１１】
2013210587.tif 000013
【図１２】
2013210587.tif 000014